(57)【要約】  接客台車（１）を移動させるために設けられたローラ（３）を上に台座を有し、支持梁（６）上に少なくとも１つの把持表面（４、５、２３、２５）を有する、美容院で用いるための接客用台車を提供する。美容師の顧客のすぐ隣で粉塵を発生させることなく染毛し得るために、染毛目的の顆粒（８）を収容するための器具（７）を有する把持表面（４）を提示する。顆粒（８）は、簡略な方法で供与することができ、また長期間の保存後もなお使用することができる。
2009523526.tif 000002
【特許請求の範囲】
【請求項１】
接客用台車（１）を移動させるために設けられたローラ（３）上に台座（２）を有し、
前記接客用台車（１）の支持梁（６）上に少なくとも１つの把持表面（４、５、２３、２５）を有し、
１つの把持表面（４）が染毛目的の顆粒（８）を収容するための器具（７）を有する、美容院用接客用台車。
【請求項２】
前記器具（７）が複数のディスペンサ（１１）を有し、
各ディスペンサ（９）内に染毛用の顆粒（８）が収容された、請求項１に記載の接客用台車。
【請求項３】
前記器具（７）が複数の凹部（１０）を有し、
各凹部内に染毛用色成分の調合用のディスペンサ（１１）を備える、請求項２に記載の接客用台車。
【請求項４】
前記ディスペンサ（１１）は、
顆粒（８）を収容するためのリザーバ（１２）と、
ディスペンサ開口部（１４）を備えると共に前記リザーバ（１２）に接続されたディスペンサ頭部（１３）と
を有する、請求項３に記載の接客用台車。
【請求項５】
前記ディスペンサ頭部（１３）が、顆粒（８）を放出するための作動装置（１５）を有する、請求項４に記載の接客用台車。
【請求項６】
過酸化物を備える瓶（１６）と無染料クリーム状染毛剤を収容する容器（１７）とが、前記把持表面（４、５、２３）に収容された、請求項２〜５のいずれか一項に記載の接客用台車。
【請求項７】
ストランドホイルのロール（１８）が把持表面（４）に収容された、請求項２〜６のいずれか一項に記載の接客用台車。
【請求項８】
前記接客用台車（１）にはかり（１９）が具備された、請求項２〜７のいずれか一項に記載の接客用台車。
【請求項９】
前記接客用台車（１）に少なくとも１つの計量カップ（２０）が具備された、請求項１〜８のいずれか一項に記載の接客用台車。
【請求項１０】
ヒンジ（２１）について回転すると共にさらなる把持表面（２３）を有するトレイ（２２）が、前記ヒンジ（２１）を介して前記把持表面（４）に連結した、請求項１〜９のいずれか一項に記載の接客用台車。
【請求項１１】
器具（７）、はかり（１９）、計量カップ（２０）、ブラシ（２８）又は着色ボウル（３１）を把持するための収納表面（４、２３）に、少なくとも１つの凹部（２９）又は少なくとも１つの切抜き部（３０）が具備された、請求項１〜１０のいずれか一項に記載の接客用台車。
【発明の詳細な説明】
【技術分野】
【０００１】
本出願の主題は、接客台車を移動させるために設けられたローラ上に台座を有する、美容院用接客用台車であって、接客用台車の支持梁上に少なくとも１つの把持表面を有する接客用台車に関する。
【背景技術】
【０００２】
この種の接客用台車は、様々な設計が広く知られている。それらは、美容院で、美容師の技術的備品を把持するために用いられる。これらの中でも、備品は、鋏、電気バリカン、ヘアドライヤ、シャンプー、ヘアスプレーの容器及び他の品目である。
【０００３】
美容院で特定の毛色を求められた場合、美容師は基本的にそれを提供するための２つの可能性を有する。美容師は、所望の毛色に一致する染料クリームを用いることができる。そうする場合、美容師は異なる染料クリームを混合することもできる。しかしながら、染料クリームの使用には、染料クリームのチューブを開封すると、比較的短時間しか保存できないという欠点がある。さらに、染色する毛髪の長さによって、少量又は大量の染料クリームが余る。この余りは、再使用することができないため、廃棄物となる場合が多い。
【発明の開示】
【発明が解決しようとする課題】
【０００４】
あるいは、美容師は、染毛のために染料粉末を用いることができる。美容師はまた、混合色調を作製するために、異なる染料粉末を混合することもできる。余った染料粉末は、既にチューブを開封した染料クリームよりも明らかに長く保存することができる。しかしながら、染料粉末は、粉塵が発生するという欠点がある。この粉塵は吸い込むべきものではない。結果として、美容師と顧客が注意せずに染料粉末を使用することは容認されるものではない。
【課題を解決するための手段】
【０００５】
本発明の目的は、美容師の顧客のすぐ隣で染毛ができるように、冒頭に記載した種類の接客用台車を設計することである。
【発明を実施するための最良の形態】
【０００６】
目的は、請求項１の特徴部分によって達成される。それは、染毛目的の顆粒を収容するための器具を有する接客用台車の把持表面を提示する。
【０００７】
提示された発明は、接客用台車を顧客の所まで押して行くことができるため、美容師の顧客のすぐ隣で染毛することが可能であるという利点を有する。顆粒は、例えば、粉塵を発生しない基本染毛成分を含有するため、染毛している間、粉塵は発生しない。さらに、任意の所望の量の顆粒を取り出すことができる。余った顆粒は、比較的長期間、さらなる染毛に用いることができる。
【０００８】
提示された発明の有利な実施形態は、請求項２〜１１に記載されている。
【０００９】
請求項２によれば、器具は複数のディスペンサを有し、各ディスペンサ内に染毛用の顆粒が収容される。従って、対応するディスペンサを使用するだけの簡略な方法で染毛剤を準備することができる。様々なディスペンサから顆粒を取り出すことにより、混合色を作製することができる。この状況で、全てのディスペンサを一本の手だけで使用することができるとすれば、それは有利である。例えば、様々な基本色の顆粒は、各ディスペンサ内に位置する。しかしながら、特定の対象色のための顆粒混合物を各ディスペンサに収容してもよい。
【００１０】
器具が複数の凹部を有し、各凹部内に染毛用のある色成分の調合用のディスペンサを備える場合、非常に使い勝手が向上する（請求項３）。美容師は、１以上のディスペンサを選択し、各々から適切な量の顆粒を取り出す。ディスペンサが逆さで凹部に挿入されている場合、ディスペンサに容易に手が届く。
【００１１】
請求項４によれば、ディスペンサは、顆粒を収容するためのリザーバと、放出用開口部を備えるディスペンサ頭部を有する。従って、ディスペンサは、簡略な方法でリザーバを把持し、逆さに静置された、つまり、特に計量カップに顆粒を分配するためにディスペンサ頭部を下向きにした状態であってよい。ディスペンサ頭部を把持するための凹部が、ディスペンサ頭部を容易に引き出し、再び差し入れることができるような大きさであることは、非常に有利である。ディスペンサ頭部が、顆粒を放出するための作動装置を有する場合、顆粒を取り出すことは容易である（請求項５）。さらに、作動装置が押しボタンである場合、ディスペンサを片手で楽に使用することができる。
【００１２】
過酸化物を備える瓶と、無染料クリーム状染毛剤を収容する容器とが、接客用台車の把持表面に具備されている場合、完璧な染毛台が達成される（請求項６）。その結果、染料を含む顆粒、過酸化物、及び無染料クリーム状染毛剤を必要とする、美容師の顧客に、反応性染毛剤を混合することができる。
【００１３】
髪の房を染色するために、ストランドホイルのロールが把持表面又は支持梁上に具備された接客用台車に手が届く所で、ストランドホイルが利用可能な場合、有利である（請求項７）。
【００１４】
接客用台車上のはかり（請求項８）は、顆粒密集体の重力測定に用いられる。代わりに、計量カップ（請求項９）を用いると、顆粒密集体は容量的に測定される。
【００１５】
ヒンジが請求項１０による把持表面上に具備され、さらなる把持表面を有し、ヒンジについて回転するトレイが、ヒンジを介して把持表面に連結する場合、必要に応じて、全ての把持表面を拡張又は縮小してもよい。このように、トレイを所定の位置に動かす、及び特に収納位置である、ヒンジを有する把持表面の下に、トレイをしまうことにより、トレイのさらなる把持表面を使用してよい。
【００１６】
器具、はかり、計量カップ、ブラシ又は着色ボウルを把持するための把持表面に、少なくとも１つの凹部又は少なくとも１つの切抜き部が具備される場合（請求項１１）、これらの器具は凹部又は切り抜き部に各々しっかりと把持され得る。これは、接客用台車を移動させる場合、特に有利である。それらをしっかしと把持するために、凹部又は切り抜き部を、把持する物品の寸法に適合させることが必要である。それ故、凹部又は切り抜き部の壁が物品の底部を把持する、又は物品が切り抜き部を突き抜ける場合、それがこの物品を把持する。
【００１７】
提示された接客用台車は、代表的な実施形態を示す図面を参照して以下に記載される。
接客用台車１は、美容院で用いるためのものである。それは、接客用台車１の移動のために設けられたローラ３上の台座２と、４つの把持表面４、５、２３、２５を有する。全ての把持表面４、５、２３、２５は、接客用台車１の支持梁６により支持される。把持表面４は、染毛目的の顆粒８を収容する器具７を有する。
【００１８】
器具７は、複数のディスペンサ１１を有する。各ディスペンサ１１には、染毛用の顆粒８が収容される。各凹部内に、染毛用色成分の分配用ディスペンサ１１が逆さに挿入された、複数の凹部１０が、器具７内に形成される。各ディスペンサ１１は、顆粒８を収容するための透明壁２７を具備するリザーバ１２と、ディスペンサ開口部１４を有し、ねじ込み式接続９を介してリザーバ１２に連結したディスペンサ頭部１３を有する。ディスペンサ頭部１３上の、押しボタンとして構成された作動装置１５を使用して、顆粒８を放出する。
【００１９】
過酸化水素を収容する瓶１６と無染料クリーム状染毛剤を収容する容器１７とが、壁２６を具備する把持表面５上に存在する。
【００２０】
ストランドホイルのロール１８を保持するロールホルダ２４が、把持表面４を有するプレートに取り付けられる。ストランドホイルは、反応性染毛剤で湿潤した髪の房を各々包むために必要である。
【００２１】
把持表面４の最上部に設けられているのは、ヒンジ２１である。ヒンジ２１の周囲で回転し、把持表面２３を有するトレイ２２は、ヒンジ２１を介して把持表面４に連結し、所望により最上把持表面４を形成するプレートの下に回転し得る。把持表面４、２３に収容されているのは、一方は境界部３２を有する凹部２９であり、他方は切り抜き部３０である。これらは、器具７、はかり１９、計量カップ２０、ブラシ２８、及び着色ボウル３１を収容するために形成される。
【００２２】
美容師はまず、処理位置に座っている顧客の所まで接客用台車を押して行く。美容師は、はかり１９上に着色ボウル３１を定置し、ボウルの自重を量り、次いで３つの特定のディスペンサ１１各々から、特定の量の基本毛色の顆粒８を選択する。混合毛色（対象色）を得るための３つの基本色を用意するために、これらの３つの顆粒８の総量を着色ボウル３１内で直接調合する。次いで、顆粒混合物を、計量カップで計量した特定の量の過酸化物及び容器１７から取り出したチューブからの特定の長さのビーズと混合する。これらの産物を着色ボウル３１内で攪拌した後、その結果反応性となった染毛剤混合物を、ブラシ２８を用いて顧客の髪の房に塗布する。
【００２３】
本発明による接客用台車の代替使用の可能性としてはまた、実用的な粉末、ペースト又は液体形態で提供される色混合物質と共に用いることができ、満足のいく方法は、提示した現在の形態に付随する問題を解決するために見出される。
【００２４】
参照番号一覧：
１  接客用台車
２  台車
３  ローラ
４、５  把持表面
６  支持梁
７  顆粒を収容するための器具
８  顆粒
９  ねじ込み式接続
１０  凹部
１１  ディスペンサ
１２  リザーバ
１３  ディスペンサ頭部
１４  放出用開口部
１５  作動装置
１６  瓶
１７  容器
１８  ローラ
１９  はかり
２０  計量カップ
２１  ヒンジ
２２  トレイ
２３  把持表面
２４  ロールホルダ
２５  収納位置
２６  壁
２７  透明壁
２８  ブラシ
２９  凹部
３０  切り抜き部
３１  着色ボウル
３２  境界部
【００２５】
本明細書に開示される寸法及び値は、列挙された正確な数値に厳しく限定されるものとして理解されるべきでない。それよりむしろ、特に規定がない限り、こうした各寸法は、列挙された値とその値周辺の機能的に同等の範囲の両方を意味することが意図される。例えば、「４０ｍｍ」として開示された寸法は、「約４０ｍｍ」を意味することを意図する。
【図面の簡単な説明】
【００２６】
以下のものが図示されている。
【図１】美容院で用いるための接客用台車の斜視図。
【図２】図１の接客用台車の斜視図であるが、染毛用の顆粒を分配するための複数のディスペンサを有する器具とさらなる美容師用器具をも有する。
【図３】透明なリザーバと、押しボタンを備えるディスペンサ頭部を有する、図２によるディスペンサの側面図。
【図１】
2009523526.tif 000003
【図２】
2009523526.tif 000004
【図３】
2009523526.tif 000005
【国際調査報告】
2009523526.tif 000006
2009523526.tif 000007
2009523526.tif 000008